(57)【特許請求の範囲】
【請求項１】
表示器が接続されるインタフェースを備え、このインタフェースに接続された表示器に対して画像信号を送出する電子機器において、
表示器の種別と、この種別の表示器の画面解像度を含む機器情報と、を対応付けて記憶する記憶手段と、
起動時に、前記インタフェースに接続されている表示器に対して、その表示器の種別の送信を要求し、当該表示器から、その表示器の種別を取得する種別取得手段と、
前記種別取得手段が取得した種別の表示器について、前記記憶手段が機器情報を記憶していれば、前記インタフェースに接続されている表示器に対して送出する画像信号の画面解像度を、前記記憶手段に記憶している該当する機器情報に含まれている画面解像度に設定する画面解像度設定手段と、
前記種別取得手段が取得した種別の表示器について、前記記憶手段が機器情報を記憶していなければ、前記インタフェースに接続されている表示器に対して、画面解像度を含む機器情報の送信を要求し、当該表示器から画面解像度を含む機器情報を取得する機器情報取得手段と、を備え、
前記画面解像度設定手段は、前記機器情報取得手段が前記インタフェースに接続されている表示器から機器情報を取得した場合、前記インタフェースに接続されている表示器に対して送出する画像信号の画面解像度を、今回取得した機器情報に含まれている画面解像度に設定する手段である、電子機器
【請求項２】
前記記憶手段が機器情報を記憶している種別の表示器について、その機器情報の削除指示を受け付けたときに、前記記憶手段に記憶している該当する機器情報を削除する削除手段を備えた、請求項１に記載の電子機器。
【請求項３】
前記機器情報取得手段が前記インタフェースに接続されている表示器から機器情報を取得した場合、この表示器の種別と、この種別の表示器の画面解像度を含む機器情報と、を前記記憶手段に記憶するかどうかを問い合わせる問い合わせ手段を備えた、請求項１、または２に記載の電子機器。
【請求項４】
前記記憶手段は、所定時間以内に、前記問い合わせ手段による問い合わせに対する応答がなければ、今回取得した表示器の種別と、この種別の表示器の画面解像度を含む機器情報と、を記憶する、請求項３に記載の電子機器。
【発明の詳細な説明】
【技術分野】
【０００１】
本発明は、接続されている表示器に対して、その表示器に応じた画面解像度の画像信号を送出する電子機器に関する。
【背景技術】
【０００２】
従来、接続されている表示器に対して、その表示器に応じた画面解像度の画像信号を送出する電子機器が一般に普及している。この種の電子機器としては、ＤＶＤプレイヤ、ブルーレイディスクプレイヤ（ＢＤプレイヤ）、セットトップボックス（ＳＴＢ）等がある。また、この種の一般的な電子機器は、表示器との接続インタフェースとしてＨＤＭＩ（High Definition Multimedia Interface）を利用している。ＨＤＭＩは、電子機器から表示器への画像信号や音声信号の送出、表示器から電子機器へのＥＤＩＤ（Extended display identification data）等の通知を制御するインタフェースである。ＥＤＩＤは、表示器が表示することのできる画面解像度等を含む機器情報である。電子機器は、接続されている表示器に対して、この表示器から取得したＥＤＩＤに基づく画面解像度の画像信号を送出する。
【０００３】
一般的な電子機器は、接続されている表示器に対して、この表示器が適切に表示できる画面解像度の画像信号を送出するために、電子機器本体に表示器が接続されたときに、接続された表示器からＥＤＩＤを取得し、この表示器を認証する認証処理を行っている（特許文献１等参照）。
【０００４】
なお、電子機器本体に表示器が接続されたときとは、電子機器本体と表示器とが実際にケーブルで接続されたときだけでなく、電子機器が起動後に最初に表示器の接続を検知したときも含む。
【特許文献１】特開２００７−７８９８０号公報
【発明の開示】
【発明が解決しようとする課題】
【０００５】
しかしながら、一般的な家庭では、電子機器に接続している表示器を交換することは稀である。すなわち、殆どの場合、電子機器が起動後に最初に接続を検知する表示器は、前回起動停止されたときに接続されていた表示器と同じであるにもかかわらず、従来の電子機器は起動後に最初に表示器の接続を検知すると、この表示器からＥＤＩＤを取得し、認証する認証処理を行っていた。この表示器を認証する認証処理には数秒（２〜３ｓ）程度の時間がかかる。したがって、この認証処理に要する時間だけ、表示器において画像が表示されるタイミングが遅れ、ユーザの使い勝手を低下させるという問題があった。
【０００６】
本発明は、本体の起動から、表示器において画像が表示されるまでにかかる時間を抑え、ユーザの使い勝手を向上させた電子機器を提供することを目的とする。
【課題を解決するための手段】
【０００７】
本発明の電子機器は、上記課題を解決するために以下のように構成している。
【０００８】
この電子機器は、記憶手段が、表示器の種別と、この種別の表示器の画面解像度を含む機器情報と、を対応付けて記憶する。また、種別取得手段が、起動時に、インタフェースに接続されている表示器に対して、その表示器の種別の送信を要求し、当該表示器から、その表示器の種別を取得する。そして、画面解像度設定手段が、前記種別取得手段が取得した種別の表示器について、前記記憶手段が機器情報を記憶していれば、前記インタフェースに接続されている表示器に対して送出する画像信号の画面解像度を、前記記憶手段に記憶している該当する機器情報に含まれている画面解像度に設定する。このため、記憶手段が機器情報を記憶している種別の表示器であれば、この表示器からＥＤＩＤを取得し、この表示器を認証する認証処理を行うことなく、この表示器に対して送出する画像信号の画面解像度を設定することができる。すなわち、電子機器本体に接続している表示器の機器情報を記憶手段に記憶させておけば、この電子機器に接続されている表示器が交換されるまで、電子機器は、起動時に、接続されている表示器を認証する認証処理を行うことなく、この表示器に対して送出する画像信号の画面解像度を設定することができる。したがって、電子機器本体の起動から、表示器において画像が表示されるまでにかかる時間が抑えられ、ユーザの使い勝手を向上させることができる。
【０００９】
また、機器情報取得手段が、前記種別取得手段が取得した種別の表示器について、前記記憶手段が機器情報を記憶していなければ、前記インタフェースに接続されている表示器に対して、画面解像度を含む機器情報の送信を要求し、当該表示器から画面解像度を含む機器情報を取得する。この場合には、前記画面解像度設定手段が、前記インタフェースに接続されている表示器に対して送出する画像信号の画面解像度を、今回取得した機器情報に含まれている画面解像度に設定する。したがって、記憶手段が機器情報を記憶していない種別の表示器であっても、この表示器が適切に表示できる画面解像度の画像信号を送出することができる。
【００１０】
なお、前記機器情報取得手段が表示器から取得した機器情報を、この表示器の種別に対応付けて、前記記憶手段に記憶させる構成を設けてもよい。
【発明の効果】
【００１１】
この発明によれば、本体の起動から、表示器において画像が表示されるまでにかかる時間が抑えられ、ユーザの使い勝手を向上させることができる。
【発明を実施するための最良の形態】
【００１２】
以下、この発明の実施形態について説明する。
【００１３】
図１は、この実施形態にかかる電子機器の主要部の構成を示す概略図である。この電子機器１は、接続されている表示器１０に対して、その表示器１０に応じた画面解像度の画像信号を送出するものである。例えば、ＤＶＤプレイヤ、ブルーレイディスクプレイヤ（ＢＤプレイヤ）、セットトップボックス（ＳＴＢ）である。電子機器１は、図１に示すように、制御部２と、ＨＤＭＩ３（High Definition Multimedia Interface３）と、記憶部４と、操作部５と、メイン処理部６と、を備えている。
【００１４】
制御部２は、本体各部の動作を制御する。ＨＤＭＩ３には、表示器１０が接続される。ＨＤＭＩ３は、電子機器１と表示器１０との間における入出力を制御するインタフェースである。電子機器１は、ＨＤＭＩ３に接続されている表示器１０に対して画像信号や音声信号を送出する。また、電子機器１は、ＨＤＭＩ３に接続されている表示器１０から送られてきたＥＤＩＤ（Extended display identification data）を取得する。ＥＤＩＤは、表示器１０が表示することのできる画面解像度等を含む機器情報である。記憶部４は、表示器１０の種別と、この種別の表示器１０のＥＤＩＤと、を対応付けて記憶する。記憶部４は、本体に内蔵されているメモリ（ＥＥＰＲＯＭや、ＳＤＲＡＭ）であってもよいし、本体に対して着脱自在なメモリカード（ＳＤメモリカード）であってもよい。また、記憶部４は、不揮発性のものが好ましいが、バッテリバックアップされた揮発性のメモリで構成してもよい。また、ハードディスクで構成してもよい。操作部５は、電子機器１本体に対する入力操作を受け付ける。操作部５は、ユーザが操作する操作キーだけでなく、図示していないリモコン装置から送信されてきた電子機器１本体に対する制御信号を受信するリモコン受信部も有している。
【００１５】
メイン処理部６は、電子機器１本体の種別によってその機能が異なる。例えば、メイン処理部６は、電子機器１がＤＶＤプレイヤであれば、本体にセットされているＤＶＤに記録されているデータを読み出し、読み出したデータをデコードし、出力する処理を行う。また、メイン処理部６は、電子機器１がＳＴＢであれば、入力されているテレビ放送信号から、その時点で選局されているチャンネルのテレビ放送信号を抽出し、ここで抽出したテレビ放送信号を出力する処理を行う、所謂チューナで構成される。
【００１６】
次に、この電子機器１の動作について説明する。図２は、この電子機器の起動時の処理を示すフローチャートである。電子機器１は、本体の電源がオンされると、図２に示す処理を実行する。電子機器１は、ＨＤＭＩ３に表示器１０が接続されているかどうかを判定する（Ｓ１）。電子機器１は、ＨＤＭＩ３に表示器１０が接続されていなければ、Ｓ１でＨＤＭＩ３に表示器１０が接続されるのを待つ。電子機器１は、Ｓ１でＨＤＭＩ３に表示器１０が接続されていると判定すると、この表示器１０の種別を示す種別コードを取得する（Ｓ２）。Ｓ２では、電子機器１は、ＨＤＭＩ３に接続されている表示器１０に対して、表示器１０の種別を示す種別コードの送信を要求する。そして、この要求に対して表示器１０から送信されてきた種別コードを受信することにより、この表示器１０の種別を取得する。
【００１７】
なお、ここで電子機器１は、表示器１０の種別が特定できる種別コードを取得するとしているが、この種別コードに替えて、この表示器１０自体を識別する識別コードとしてもよい。
【００１８】
電子機器１は、Ｓ２で取得した種別コードと、ＥＤＩＤと、を対応付けて記憶部４に記憶しているかどうかを判定する（Ｓ３）。電子機器１は、Ｓ２で取得した種別コードと、ＥＤＩＤと、を対応付けて記憶部４に記憶していれば、該当するＥＤＩＤに基づいて、表示器１０に対して送出する画像信号の画面解像度を設定し（Ｓ４）、本処理を終了する。また、このとき、該当するＥＤＩＤに基づいて、出力する音声信号等についても出力形態を設定する。
【００１９】
一方、電子機器１は、Ｓ２で取得した種別コードと、ＥＤＩＤと、を対応付けて記憶部４に記憶していなければ、表示器１０に対してＥＤＩＤの送信を要求する（Ｓ５）。電子機器１は、表示器１０から送信されてきたＥＤＩＤを受信すると（Ｓ６）、今回受信したＥＤＩＤに基づいて、表示器１０に対して送出する画像信号の画面解像度等を設定する（Ｓ７）。Ｓ５〜Ｓ７にかかる処理は、従来の電子機器が起動時に行っていた、接続されている表示器を認証する認証処理である。
【００２０】
電子機器１は、Ｓ７でＨＤＭＩ３に接続されている表示器１０に対して送出する画像信号の画面解像度等を設定すると、Ｓ２で取得した種別コードと、Ｓ６で受信したＥＤＩＤと、を対応付けて記憶部４に記憶するかどうかを、ユーザに問い合わせる問い合わせ処理を行う（Ｓ８）。Ｓ８では、この問い合わせに係る画像信号を表示器１０に対して送出する。図３は、この画像信号を受信した表示器１０において表示される表示画面例を示している。すなわち、電子機器１は、ユーザに対する問い合わせを、図３に示す画面を表示器１０に表示することで行う。また、Ｓ８では、Ｓ７で設定した画面解像度の画像信号を送出している。電子機器１は、Ｓ８にかかる問い合わせ処理を行った後、または問い合わせに対する入力を受け付けるか、予め定められている一定時間（例えば、１５秒）経過するのを待つ（Ｓ９〜Ｓ１１）。
【００２１】
電子機器１は、記憶する旨の入力があると、Ｓ２で取得した種別コードと、Ｓ６で受信したＥＤＩＤと、を対応付けて記憶部４に記憶し（Ｓ１２）、本処理を終了する。一方、記憶しない旨の入力があると、Ｓ１２に係る処理を行うことなく、本処理を終了する。さらに、電子機器１は、問い合わせに対する入力を受け付けることなく、予め定められている一定時間経過すると、Ｓ２で取得した種別コードと、Ｓ６で受信したＥＤＩＤと、を対応付けて記憶部４に記憶し（Ｓ１２）、本処理を終了する。
【００２２】
ここで、Ｓ１２で、記憶部４が記憶する情報について説明する。図４は、記憶部が記憶する情報を示す図である。図４に示すように、記憶部４は、表示器１０の種別毎に、その種別を示す種別コードと、この種別の表示器１０のＥＤＩＤと、を対応付けて記憶する。また、記憶部４は、表示器１０の種別毎に、種別コードとＥＤＩＤとを記憶した年月日も対応付けて記憶する。すなわち、電子機器１は、Ｓ１２において、Ｓ２で取得した種別コードと、Ｓ６で受信したＥＤＩＤと、そのときの年月日と、を対応付けて記憶部４に記憶する。
【００２３】
このように、電子機器１は、初めて接続された種別の表示器１０について、ユーザがＳ８にかかる電子機器１からの問い合わせに対して、種別コードと、ＥＤＩＤと、を対応付けて記憶部４に記憶する旨の入力操作を行うと、この表示器１０の種別コードと、ＥＤＩＤと、を対応付けて記憶部４に記憶する。また、電子機器１は、ユーザが何らかの理由で、Ｓ８にかかる電子機器１からの問い合わせに対して、予め定められている一定時間以内に種別コードと、ＥＤＩＤと、を対応付けて記憶部４に記憶する旨の入力操作が行えなかったときでも、この表示器１０の種別コードと、ＥＤＩＤと、を対応付けて記憶部４に記憶する。
【００２４】
また、図２に示したように、電子機器１は、ＨＤＭＩ３に接続されている表示器１０の種別が記憶部４にＥＤＩＤを記憶している種別であれば、本体の起動時に、この表示器１０からＥＤＩＤを取得し、認証する認証処理を行わない。一般的な家庭では、電子機器１に接続している表示器１０を交換することは稀であることから、電子機器１本体の起動時にＨＤＭＩ３に接続されている表示器１０と、前回の起動停止時に接続されていた表示器１０と、は、殆どの場合において同じである。そして、この電子機器１は、上述したように、表示器１０の種別コードと、ＥＤＩＤと、を対応付けて記憶部４に記憶する構成であるので、本体の起動から、表示器１０において画像が表示されるまでにかかる時間が抑えられ、一般的な家庭におけるユーザの使い勝手を向上させることができる。
【００２５】
なお、電子機器１に接続されている表示器１０を、これまで使用していた表示器１０の故障等で一時的に交換した場合には、ユーザは、Ｓ８に係る電子機器１からの問い合わせに対して、種別コードと、ＥＤＩＤと、を対応付けて記憶部４に記憶させない旨の入力操作を行うことで、無駄な情報が記憶部４に記憶されるのを防止できる。
【００２６】
また、記憶部４を、１つの種別の表示器１０について、種別コードと、ＥＤＩＤと、を対応付けて記憶する構成とし、電子機器１本体の起動時に接続されている表示器１０の種別と、記憶部４に記憶している表示器１０の種別と、が異なっていれば、記憶部４が記憶する種別コードとＥＤＩＤとを、今回の起動時に接続されている表示器１０の種別とＥＤＩＤとに更新する構成としてもよい。このようにすれば、電子機器１は、表示器１０の種別とＥＤＩＤとを記憶するために生じる記憶容量の増加を抑えることができる。
【００２７】
さらに、ユーザは、記憶部４に記憶されている表示器１０の種別コードとＥＤＩＤとを、表示器１０の種別毎に削除することができる。具体的に言うと、ユーザは、操作部５、または図示していないリモコンで、記憶部４に記憶している表示器１０の種別コードとＥＤＩＤとの確認要求にかかる入力操作を行う。電子機器１は、このユーザの確認要求にかかる入力操作に応じて、表示器１０の種別毎に、記憶部４に記憶している種別コードとＥＤＩＤと、一覧で表示する画像信号を表示器１０へ送出する。これにより、電子機器１本体に接続されている表示器１０では、図５に示す画面が表示される。図５において、ハッチングで示す領域に表示されている種別コードとＥＤＩＤとは、この時点で接続されている表示器１０の種別コードとＥＤＩＤである。ハッチングで示す領域は、ハイライト表示されている。また、この時点で選択されている種別コードとＥＤＩＤとについては、カーソルが表示されている。
【００２８】
ユーザは、表示器１０に表示されている画面を見ながら、記憶部４に記憶されている不要になった表示器１０の種別コードとＥＤＩＤと、を選択する。この選択にかかる操作は、操作部５、または図示していないリモコンで行える。電子機器１は、種別コードとＥＤＩＤとの選択が変更されると、その変更に応じて画像信号を表示器１０に対して送出する。そして、ユーザが選択している種別コードとＥＤＩＤとについて削除する旨の入力操作を行うと、電子機器１は記憶部４に記憶している該当する種別コードとＥＤＩＤとを削除する。
【００２９】
このように、ユーザは、記憶部４に記憶されている、不要になった表示器１０の種別コードとＥＤＩＤとを削除することができる。
【図面の簡単な説明】
【００３０】
【図１】この実施形態にかかる電子機器の主要部の構成を示す概略図である。
【図２】この電子機器の起動時の処理を示すフローチャートである。
【図３】画像信号を受信した表示器における表示画面例を示す図である。
【図４】記憶部が記憶する情報を示す図である。
【図５】記憶部が記憶する情報の表示画面例を示す図である。
【符号の説明】
【００３１】
１…電子機器
２…制御部
３…ＨＤＭＩ
４…記憶部
５…操作部
６…メイン処理部
１０…表示器
【図１】
0004930278.tif 000002
【図２】
0004930278.tif 000003
【図３】
0004930278.tif 000004
【図４】
0004930278.tif 000005
【図５】
0004930278.tif 000006